(57)【要約】【解決手段】  額皮膚又は他の身体表面皮膚の温度計（１）は、身体箇所、例えば他の身体表面皮膚のため身体額中央領域皮膚の赤外線熱を監視し検出するため体温計プローブの前部に配置された赤外線センサー（１１）を有する。同時並行的な作動周囲温度又はセンサー作動温度も測定される。上記測定された額皮膚温度又は他の身体表面皮膚温度は、参照ベースとして使用される。上記同時並行的に検出されたセンサー作動温度又は周囲温度は、口、直腸又は腋の温度等の第１の身体箇所の対応する温度にアクセスための指標として使用される。最終的な温度読み取り表示は、不揮発性メモリ（４１）内に形成された照合テーブルから決定される。不揮発性メモリ（４１）に格納された照合テーブルは、実質的な数の測定ターゲットで以前になされた広範囲の臨床検査結果から導出された温度データベースの３つのグループを含む。構成グループは、第２の身体箇所温度データベース、どうじ並列的作動の周囲温度又はセンサー作動温度データベース、及び、対応する第１の身体箇所温度データベースである。この照合テーブルデータが上記グループの温度データベースに対する実質的な数の臨床検査に基づいているので、この温度計は、臨床試験に向く体温計設計であり、ユーザーに正確で信頼性の高い測定結果を提供する。【選択図】    図１
2007511260.tif 000002
【特許請求の範囲】
【請求項１】
好ましくは直腸、口内及び腋の温度からなる群から選択された患者の第１の身体箇所における温度を、第２の身体箇所、好ましくは額中央表面皮膚又は他の身体箇所表面皮膚における測定によって決定するための赤外線体温計（１）であって、
前記第２の身体箇所における表面皮膚温度（Ｆ）を検出して表面温度信号データを生成するための赤外線センサー（１１）と、
参照温度、特に周囲温度又は前記赤外線センサーの低温接続部の温度を測定して参照作動温度信号データ（Ａ）を発生するためのセンサー手段（１１；３４）と、
計算ユニット（３９）と、
前記計算ユニットと連係したメモリ（４１）であって、該メモリ（４１）は、好ましくは臨床試験から導出された参照データを内部に格納しており、これにより前記計算ユニットは、前記表面温度データ（Ｆ）と、同時並行的に検出された前記参照作動温度データ（Ａ）と、前記参照データとに基づいて、前記第１の身体箇所の推定された温度（Ｆ＋Ｏ）を計算するように構成されている、前記メモリと、
を備える、赤外線体温計。
【請求項２】
前記温度センサー（３４）は、前記赤外線センサー（１１）内に配置されている、請求項１に記載の赤外線体温計。
【請求項３】
前記参照データは、不揮発性メモリ、特にＲＯＭ又はＥＥＰＲＯＭ内に格納されている、請求項１又は２に記載の赤外線体温計。
【請求項４】
前記計算ユニットは、前記検出された参照作動温度データ（Ａ）と、同時並行的に測定された身体表面皮膚温度データ（Ｆ）と、前記参照データとに基づいて、前記身体表面皮膚温度データ（Ｆ）と生理的位置オフセット値（Ｏ）との総和を決定するように構成され、前記生理的位置オフセット値（Ｏ）は、前記第１の身体箇所と対応する前記第２の身体箇所との間の温度差に等しい、請求項１乃至３のいずれか１項に記載の赤外線体温計。
【請求項５】
前記第１の身体箇所の温度は線形補間に基づいて計算される、請求項１乃至４のいずれか１項に記載の赤外線体温計。
【請求項６】
前記メモリ（４１）中に照合テーブルが格納されており、該照合テーブルは、以前の臨床試験の間に第２の身体箇所において測定された身体表面皮膚温度値に関連した第１の群のデータと、前記以前の臨床試験の間に同時並行的に測定されたセンサー作動低温接続部の温度又は周囲温度に関連した第２の群のデータと、前記以前の臨床試験の間の前記第１の身体箇所で同時に測定された温度値に関連した第３の群のデータと、を有する、請求項１乃至５のいずれか１項に記載の赤外線体温計。
【請求項７】
前記体温計は、少なくとも２つのモード、即ち測定モードと較正モードとを有し、前記体温計は、前記モードの間を切り替えるための手段を有する、請求項１乃至６のいずれか１項に記載の赤外線体温計。
【請求項８】
前記体温計は、少なくとも２つの異なる測定モードを有し、該異なる第１の身体箇所における温度は、異なる測定モードに対して前記メモリ（４１）中に格納された異なる組の照合テーブルに基づいて計算される、請求項１乃至７のいずれか１項に記載の赤外線体温計。
【請求項９】
赤外線体温計（１）を用いて患者の第１の身体箇所の温度を決定するための方法であって、
第２の身体箇所における表面皮膚温度（Ｆ）を検出して表面温度信号データを生成し、参照箇所の温度、特に温度、特に周囲温度又は前記赤外線センサーの低温接続部の温度を測定して参照作動温度信号データ（Ａ）を発生し、
測定された温度データ（Ｆ）及び（Ａ）に基づいて、前記赤外線体温計（１）のメモリ（４１）に格納された従来の臨床試験データを備えた照合テーブルにアクセスし、
前記身体表面皮膚温度信号データ（Ｆ）と前記参照テーブルにアクセスされた前記参照温度信号データ（Ａ）と前記参照データとに基づいて前記第１の身体箇所の推定された温度（Ｆ＋Ｏ）を計算する、各工程を備える、方法。
【発明の詳細な説明】
【技術分野】
【０００１】
本発明は、独立特許請求項に係る、赤外線体温計及び体温を測定するための方法に関する。
【背景技術】
【０００２】
患者の体温を測定するため、接触式温度センサー又は赤外線測定の使用に基づくデジタル電子体温計を使用することが知られている。赤外線体温計は、それらの迅速な測定及びそれらの使用の容易さの故に幅広く使用されている。体温測定のための診断値の点で、人間の身体の幾つかの測定箇所の間には差異が存在する。
【０００３】
視床下部は、体温を得るために最も正確な箇所である。視床下部は、脳の基底に位置しており、人体のサーモスタットとして機能する。視床下部の目的は、人体の体内温度（心臓、肺、肝臓、腎臓の温度）を維持することである。
【０００４】
従来では、体温は、口内、直腸、腋の各箇所で接触式体温計により検出されてきた。これらの箇所は、精度に影響を与える多数の因子、例えば、測定箇所における体温計プローブの非定常的で不適切な配置、飲んだり話したりすること、測定技術の未経験さ等が存在するが故に、正確さというよりも便利さのため選択されている。
【０００５】
今日では、１秒のみで体温を表示するため耳管内の鼓膜又は中耳の熱放射を監視し検出するように赤外線センサーを利用することによって、赤外線式の耳温度計が、人気のある迅速な体温測定道具になった。しかし、体温を得るため赤外線式の耳温度計を使用することに関して、例えば以下のような欠点が存在する。
【０００６】
非侵入測定式の体温計であることを要請されたが、そのプローブヘッドは、温度測定のため耳管内に挿入する必要がある。プローブ先端部の直径は通常の大人のものに等しいか又は僅かに大きくさえあり、特に子供の耳管に比べて大きいので、プローブヘッドを耳管内に挿入するときには、耳温度計プローブと耳管の内側皮膚壁との間の緊密な接触は、プローブに急激な熱増大を引き起こし、赤外線センサーの低温接続部に温度上昇をもたらす。これは、安定した又は正確な温度読み取りの表示を得ることを妨害する。プローブと耳管内側皮膚との間の緊密な接触は、耳管内へのプローブ挿入及び耳管からの引き抜きを繰り返す連続的な測定の後に、耳の温度を低下させる。その上、耳管内の生来の曲率構成は、首尾一貫した読み取り値を得るためには、プローブを首尾一貫しない態様で耳管内に挿入させることになる。更には、高い湿気レベルは、新生児の耳管内の残余の羊膜流体によって引き起こされる低い耳温度の読み取り値へと導く。約５．５ｍｍほどの新生児の小さい耳直径に対して、約７．５〜８．０ｍｍの直径を持つより大きい耳温度計プローブ先端部を挿入することに関する不適切さについては言及されていない。耳温度計を使用したときの、より多くの使用上の懸念事項がなおも存在する。即ち、耳あかは、不正確な読み取り値を生じさせるおそれがあり、耳管の内部の湾曲構造は、耳管内に配置された不適切なプローブに起因して首尾一貫していない測定結果を生じさせ、プローブカバーを付ける必要性に関する不適切さ及びコスト消費の懸念事項、プローブアッセンブリの乏しい熱絶縁設計により引き起こされる測定読み取り表示の低い信頼性、体温測定の間に眠っている患者への妨害（詳しくは、幼児又は子供）、短期間内での耳管内へのプローブ挿入を繰り返す連続的な測定からくる、冷却効果及び低い読み取りの懸念事項、並びに、患者の耳内により大きいプローブを挿入する不適当さ、特に、２才以下の子供又は新生児のより小さい耳の直径について懸念事項が存在する。
【０００７】
既知の耳温度計を、例えば体温を得るための額温度計等の身体皮膚体温計で置き換えることによって、上記問題は、解決される。額温度計は、実際の非侵入式の体温計である。プローブアッセンブリ内部のセンサーは、プローブが、体温を得るため身体空洞部内に挿入される必要がないので、身体表面の皮膚によっては加熱されない。額皮膚の中央領域にプローブが柔らかく滑らかに接触した状態では、温度を容易に検出して表示することができる。身体表面温度は、血液の灌流を介して体内から供給されたエネルギーと、放射、対流及び蒸発を介して環境へと失われるエネルギーとの結果である。額皮膚からの体温を検出する理由は、血管が、額皮膚の下方にほんの約０．１ｍｍに亘って分布するということである。熱は容易に検出され、浅側頭動脈内の血液の流れが頸動脈から延びているので、瞬間的な熱又は温度変化は迅速に検知される。その上、額体温計は、従来の接触ペン式体温計プローブを耳、口又は直腸内に挿入することにより引き起こされる不快感や不便さを無くすことができる。
【０００８】
しかし、身体表面皮膚の温度は、センサーの作動温度変化により容易に影響を及ぼされるので、異なるセンサー作動温度で測定されるべき額皮膚温度は、身体内部の体温がほぼ同じであるときでさえも全く異なっている。  
【０００９】
かくして、以上のような赤外線式体温計を使用することに関して身体表面皮膚の皮膚温度測定値に異なる周囲温度の影響を考慮に入れることが提案された。米国特許番号６，０５６，４３５号では、大人の脇温度測定に適した体温検出記が開示されている。身体の内部温度は、ターゲットの表面温度の関数として計算される。この関数では、表面温度と周囲温度との重みを付けられた差異が考慮されている。重み付けは、ターゲット温度に関して変化される。同様の解決法が、米国特許番号６，２９２，６８５号に開示されている。これらの提案は、しかし、幾つかの欠点を有する。特に、提案された方法は、複雑な理論的モデルに基づいている。計算は、比較的強力なマイクロプロセッサを必要としている。加えて、計算の精度の点で幾つかの懸念事項が存在する。
【００１０】
米国特許番号５，１９９，４３６号では、回転検出器が開示されている。該特許に開示された検出器は、鼓膜測定に関している。かくして、耳管と接触する問題は、解決されていない。鼓膜温度は、体内温度の示度を提供するため調整されている。この用途は、幾つかの欠点を更に有する。第１に、比較的複雑な計算が、強力な計算構成を要求する温度の調整のために提案されている。第２には、耳管との接触問題が取り組まれていない。第３には、周囲の温度を測定することにより、赤外線検出器の熱電対列の低温接続部と周囲温度との間に差異が存在する場合、不正確な測定結果が形成され得る。他の放射検出器が、米国特許番号５，０１２，８１３号、米国特許番号５，１５０，６９６号、米国特許番号５，３３３，７８４号、米国特許番号４，９９９，４１９号、米国特許番号４，７９７，８４０号、米国特許番号４，７８４，１４９号、米国特許番号４，８４６，５８３号、米国特許番号５，０２４，５３３号、米国特許番号５，２３２，２８４号、米国特許番号５，２７１、４０７号、米国特許番号５，１６７，２３５号、米国特許番号５，４４５，１５８号、米国特許番号５，６５３，２３８号、米国特許番号５，８７４，７３６号から知られている。これらの特許文献のいずれも、上述した問題、即ち、温度センサーの耳管との接触に関連する問題、並びに、第１の身体箇所の温度を別の身体箇所の温度に依存して決定するため比較的複雑な従来技術の計算に関連した問題を完全には解決していない。
【００１１】
米国特許番号５，９６７，９９２号では、実験的測定及び線形関数に基づく放射温度測定を開示している。照合手段の使用によって、推定温度の計算を簡単化することができることが請求されている。しかし、この解決法は、なおも幾つかの欠点を被る。例えば、当該特許発明は、センサープローブと耳管との間の接触の問題を解決していない鼓膜温度計に関している。
【発明の開示】
【発明が解決しようとする課題】
【００１２】
本発明の目的は、従来技術の欠点を克服すること、特に、第１の身体箇所、特に、例えば、口、直腸、腋の温度、又は、他の身体箇所の参照温度を、身体皮膚表面の温度測定に基づいて容易に決定することを可能にする赤外線体温計を提供することである。本発明に係る体温計は、この第１の身体箇所の温度の計算のために強力なマイクロコンピュータを必要とするべきではない。加えて、本発明に係る体温計は、従来技術の体温計に比べて測定精度が改善されるべきである。
【課題を解決するための手段】
【００１３】
本発明によれば、上記問題は、独立の特許請求項に係る体温計を用いて解決される。
本発明に係る体温計は、第１の身体箇所の温度を決定するため使用される。第１の身体箇所の温度は、特に、直腸、腋及び口内の温度の群から選択されてもよい。この温度の決定は、第２の身体箇所、例えば患者の額表面皮膚における測定によりなされる。体温計は、赤外線センサー、特に、この第２の身体箇所における身体表面皮膚温度の決定のための熱電対列を有する。このセンサーは、身体表面皮膚温度信号データを生成するため使用される。体温計は、参照温度、即ち、赤外線センサーの低温接続部の温度又は作動周囲空気の温度を決定するための手段が更に備え付けられている。参照温度を決定するためのこれらの手段は、参照作動温度信号データを発生するため使用される。体温計は、計算ユニット及び該計算ユニットに連係するメモリが更に備え付けられている。メモリは、内部に格納された臨床試験から導出されたデータを有する。計算ユニットは、身体表面皮膚温度信号データと、参照作動温度信号データと、メモリに格納されている対応するデータとに基づいて、第１の身体箇所の推定温度を計算するように構成される。上述されたような設計は幾つかの利点を有する。第１には、温度は、身体の表面皮膚の任意箇所で測定することができる。プローブ内のセンサーを耳管内に挿入することは回避することができる。第２には、臨床実験データの使用は、第１の身体箇所における温度の計算の精度を向上させる。参照作動温度を測定するための手段は、当業者に知られている任意の温度測定ユニットにより形成することができる。好ましい実施例によれば、参照作動温度を測定するための手段は、赤外線センサーにより形成することができる。共通の赤外線センサーは、熱電対列の高温接続部と低温接続部との間の温度差に比例する電圧出力を発生する。低温接続部は、周囲空気の温度又はセンサーユニットそれ自身の温度に実質的に対応する温度を有する。高温接続部は、ターゲットの放射を受け取る。そのような熱電対列は、参照作動温度信号を発生するため使用することができる。参照作動温度は、体温計がオンにされたとき、例えば、赤外線センサーを使って測定することができる。この参照温度値を格納することができ、第１の身体箇所における測定の間に計算のため使用することができる。
【００１４】
代替実施態様によれば、参照作動温度を測定するための手段を、赤外線センサーの内部に構築されたサーミスタにより、又は、赤外線センサーにより形成することができる。
生理的位置のオフセット、即ち、第１の身体箇所における共通の参照身体温度に対する第２の身体箇所で測定された温度の差異は、変化し、多くのパラメータに依存している。これらの依存性のための理論的モデルを見出すことは困難であり得る。実験臨床データに参照することにより、これらの依存性の全てを考慮することができる。加えて、照合デーブルに格納された参照データの使用は、計算をより迅速にし、より少ない計算資源で済む。
【００１５】
本発明の別の態様によれば、参照作動信号を測定するための温度センサーは、赤外線センサー内で直接配列されている。これにより、赤外線センサーの熱電対列の低温接続部の温度が決定される。この温度を考慮することは、周囲の温度のみを考慮に入れるよりもより正確な結果へと導く。
【００１６】
以前に取得した臨床検査データ又は該臨床検査から導出されたデータを、組み込まれた不揮発性メモリ、例えば体温計のＲＯＭ又はＥＥＰＲＯＭ内に格納することができる。
更なる好ましい態様によれば、本発明に係る体温計、特にその計算ユニットは、身体皮膚温度、即ち第２の身体箇所における温度と、生理的位置のオフセット値との総和を決定するように構成されている。「生理的位置のオフセット」は、測定された額中央（又は他の身体箇所）の表面皮膚温度と、例えば口内、腋又は直腸の温度等の対応する参照身体箇所の温度との間の差異として定義される。本発明の技術を用いると、「生理的位置のオフセット」値をアクセスし、対応する参照身体箇所温度の読み取りのデータを得るため、該アクセス値を測定された額中央表面皮膚温度に加算することができる。この「生理的位置のオフセット」データは、測定された額中央表面皮膚温度を参照ベースとして、同時に検出された作動参照温度を検索ポインターとして取ることにより、体温計内部の不揮発性メモリ、ＲＯＭ又はＥＥＰＲＯＭの内部の照合テーブルからアクセスすることができる。マイクロプロセッサの数学的な計算公式により、より正確な対応する「生理的位置のオフセット」データが決定される。そのような生理的位置のオフセットの使用は、第１の身体箇所における温度の非常に正確な近似を可能にしている。
【００１７】
本発明のなお更なる実施態様によれば、従って、生理的位置のオフセットを、補間若しくは線形近似技術に基づいて決定することができる。照合テーブル内に、臨床検査で測定された参照作動温度のための参照データと、臨床検査の間に第１の身体箇所で測定された温度と、これらの検査の間に第２の身体箇所で測定された温度とが格納されているならば、第１の身体箇所における温度に対する推定値を、これらの参照データの補間を使って決定することができる。
【００１８】
更なる好ましい態様では、照合テーブルを使用することができる。該テーブルは、臨床検査の間に取得された第２の身体箇所の温度値に関連する第１のグループデータと、これらの検査の間に決定された周囲又は低温接続部の温度等の参照作動温度に関連する第２のグループデータと、これらの臨床検査の間に第１の身体箇所で有効に測定された温度に関連するデータを有する第３のグループデータと、を有する。臨床検査は、複数の異なる条件、特に、異なる周囲温度における異なる患者（性別、年齢）及び異なる身体温度を有する患者に対して、実施される。
【００１９】
更なる好ましい態様によれば、体温計は、複数の作動モードを有していてもよい。測定モードと較正モードとを提供することも考えられる。かくして、体温計は、これらの２つのモードの間を切り替えるための手段を持っていてもよい。較正モードでは、例えば、十分に高い温度安定性で制御可能な一定水温の水槽内に浸漬された黒体に較正をなすことが可能となる。他の実施態様も考えられる。即ち、異なる種類の第１の身体箇所において推定された温度に対する異なる測定モードを、１つの同じ体温計に提供することが特に可能となる。かくして、対応する口内及び腋の温度又は直腸温度の計算の間で体温計を切り替えることが可能となる。様々に異なる照合テーブルを体温計内に格納することができ、測定モードに依存して特有の照合テーブルが参照される。該測定モードは、ユーザーにより選択されてもよく、又は、製造者により予め与えられていてもよい。
【００２０】
本発明は、更に、赤外線体温計を用いて患者の第１の身体箇所の温度を決定するための方法に関する。本方法は、上述したような赤外線体温計を使って実施されるのが好ましい。体温計ユニットがオンにされた後、ユニット内の赤外線センサーにより、又は、赤外線センサー内に構築されたサーミスタにより、参照センサー作動温度又は周囲温度が検出される。体温計プローブが、測定されるべきターゲットとなる表面皮膚上に近接して置かれた後、第２の身体箇所における表面皮膚温度が同じ赤外線センサーにより測定され、これにより、身体表面皮膚温度信号データが生成される。更なる工程では、赤外線体温計のメモリ内に格納されたデータを備えた照合テーブルが、計算ユニットによりアクセスされる。照合テーブルのデータ、測定された身体表面皮膚温度信号データ及び測定された参照作動温度信号に基づいて、赤外線体温計内の計算ユニットを用いて第１の身体箇所の推定温度が決定される。
【００２１】
従って、本発明は、病院内で繰り返し実行された広範囲に亘る臨床検査結果からの実質的な数の検査ターゲットに基づいて、様々に異なる同時に検出された作動周囲温度又はセンサー作動温度の下で、異なる測定額皮膚温度と、同時並行的に検出された対応する身体箇所温度との間で、異なる「生理的位置オフセット」値をもたらす。
【００２２】
この技術を使用することにより、額皮膚温度を検出し、同時並行的な作動参照温度を検出することを通して、体温計内のマイクロプロセッサは、額皮膚温度検出に影響を及ぼすセンサー作動温度又は周囲温度変化に懸念されることなく、対応する参照身体箇所温度に等価な温度としての結果を形成するように、測定された額温度に加算されるための体温計のＥＥＰＲＯＭ内の照合テーブルからの補償オフセット値を直ちに見出すことができる。
【００２３】
本発明は、次の実施例及び添付図面を参照してより明らかに理解されよう。
【実施例】
【００２４】
図１及び図２は、額中央表面皮膚又は身体箇所表面皮膚の温度測定に適切な赤外線体温計１を示している。パワースイッチ１４を押すことにより、体温計ユニットがオンとなる。本発明の一実施例では、周囲温度又はセンサー作動温度は、赤外線センサー１１を使って測定される。別の実施例では、参照温度は、赤外線センサー内部に構築されたサーミスタ３４を用いて又はサーミスタにより測定される。短時間ビープで温度スケールアイコンをフラッシュすることにより、体温測定のためのディスプレイチェック及び準備信号が表されたＬＣＤディスプレイ１３が示される。温度スケールアイコンがＬＣＤディスプレイ１３上にフラッシュし、プローブ前部カップを測定ターゲット表面皮膚上に近接して置き始めた後、測定開始ボタン２５を押すことにより（図２参照）、目的温度、即ち身体表面皮膚温度を測定開始する。ハウジングプローブに配置された赤外線センサー１１は、額中央表面の皮膚の熱放射を監視し、該放射を受け取る。赤外線センサーのＤＣ出力は、ターゲットとする温度と、周囲温度又はセンサー作動温度との間の差異に比例している。赤外線センサー及び／又はサーミスタからのＤＣ電圧出力は、増幅器３８、Ａ／Ｄコンバータ、最終的にマイクロプロセッサ３９（図３参照）に伝達される。額の中央皮膚温度等の測定されたターゲット温度と、同時に測定された周囲温度、センサー作動温度又は低温接続部温度等の作働基準温度とに基づいて、不揮発性メモリ即ちＲＯＭ又はＥＥＰＲＯＭ内部の照合テーブルからの対応する生理的位置のオフセット値をアクセスすることができ、測定された額中央皮膚温度に加算することができる。口内、直腸又は腋等の最終的な対応身体箇所温度は、ＬＣＤ１３上に表示される。ブザー及びＬＥＤ１２は、体温測定の完了を同定するため動作開始される。
【００２５】
図３を参照すると、赤外線額温度計の電子ブロック図が示されている。体温計電子ユニットはバッテリー３０によりパワー供給される。一旦、体温計ユニットがパワースイッチ１４を押すことによりスイッチオンされたならば、赤外線センサー内部の赤外線センサー３５又はサーミスタ３４が、例えば周囲又はセンサー作動熱３６等の参照作動温度の温度を検出し、ＬＣＤディスプレイ１３が、自動チェックされ、温度スケールアイコンをフラッシュすることにより準備信号を示す。ユニットの前部開放カップに、ターゲットとなる表面皮膚上に押し、測定開始ボタン２５を押した後、センサー３４は、ターゲットとなる額中央皮膚熱３７からの赤外線放射を受け取り、測定する。上記２つの温度検出ＤＣ出力信号は、増幅器３８に連続的に連結されている。単一チップのマイクロプロセッサ３９は、検出された参照温度データとターゲットとなる額温度データとに基づいて、適切な生理的位置オフセット値にアクセスするか又は計算するため使用される。数学的な補間法（図７参照）を使用することにより、対応する生理的位置オフセット値は、ＥＥＰＲＯＭ４１の内部の照合テーブルから決定される。このオフセットは、測定箇所とは異なる身体の箇所における温度の最終的な推定値として、検出された額温度に加えられる。この最終的な読み取り値は、同時並行的であることを表しており、対応する口内、直腸又は腋又は他の参照身体箇所の温度が単一チップのマイクロプロセッサ３９によりＬＣＤディスプレイ３２に示される。ブザー及びＬＥＤ１２は、同時に作動される。
【００２６】
図４は、包括的な臨床テスト結果に基づく同時に様々に異なるセンサー作動温度の下において、様々に異なる口内温度と、同時並行的に測定された額皮膚温度との間の関係を与える図表を示している。この図表は、様々に異なる対応する口内温度が、同時に検出された異なるセンサー作動温度の下において、同時並行的に測定された異なる額皮膚温度を用いて得られるという技術思想を与えている。
【００２７】
図５は、額中央皮膚温度読み取り値と、同時並行的に測定されたセンサー作動温度と、異なるセンサー作動温度について同時に検出された口内温度との間の臨床的なテスト関係図表を示している。図５は、図４と類似した関係図表であるが、異なる座標軸を持っている。
【００２８】
上記全ての曲線図表は、異なる口内温度と、異なる同時並行的に検出された即ちセンサー作動の額中央皮膚温度と、異なる作動周囲温度、又は、例えば異なる性別の、大人、幼児、子供等、様々な年代で熱を持つ患者、熱を持たない様々な患者が入院する病院でなされた臨床試験で同時に測定された周囲温度との間の関係曲線を示している。図４、５及び６に基づいて、広い範囲に亘る臨床試験データベースが、系統的に収集され、体温計電子機器の不揮発性メモリ、ＲＯＭ又はＥＥＰＲＯＭ４１の内部の照合テーブル内に格納された。
【００２９】
図６は、包括的な臨床試験を構成する様々な同時的なセンサー作動温度の下における、異なるセンサー作動温度と、異なる同時並行的な生理的位置のオフセット温度、即ち額皮膚温度と同時並行的に測定された口内、直腸若しくは腋の温度との間の差異と、の間の関係図表を示している。生理的位置のオフセット温度は、口内、直腸又は腋の温度と、同時的なセンサー作動温度の下での同時並行的な額皮膚温度との間の差異である。この図表は、異なる生理的位置のオフセットデータが、異なる同時並行的なセンサー作動温度と、異なる同時的な額皮膚温度とを用いて得られることを示している。
【００３０】
図７は、図６の一部として拡大図を示し、マイクロプロセッサが、測定された額温度と、同時並行的に検出された参照作動温度、例えば周囲温度又はセンサー作動温度とに基づいて、ターゲットとなる額（第２の身体箇所）の温度と、口内、直腸又は腋（第１の身体箇所）の温度との間の所望の生理的位置のオフセット温度を如何に計算することができるかを示している。照合テーブルデータベースからアクセスした２つの隣接する額温度データを加えた２つの隣接する参照温度データが使用される。
【００３１】
次の数学的な補間方法とその公式は、対応する生理的位置のオフセット値が、額中央表面温度と、それと同時並行的に測定された作動周囲温度又はセンサー作動温度とに基づいて照合テーブルから如何に決定することができるかを説明している。
【００３２】
図７を参照すると、次の変数が使用されており、各々、次の意味を持っている。
Ｆ：  測定されたターゲットとなる額中央表面皮膚温度である。
Ｆ１：  病院で実行された臨床試験から導出して照合テーブル内に格納された額温度値の一つである。「Ｆ１」は、「Ｆ」に隣接しているが「Ｆ」よりも大きい。
Ｆ２：  病院で実行された臨床試験から導出して照合テーブル内に格納された別の額温度値である。「Ｆ２」は、「Ｆ」即ち額中央表面皮膚温度に隣接しているが「Ｆ」よりも小さい。
Ａ：  ターゲットとなる額中央表面皮膚温度と同時並行的に測定された、周囲温度又はセンサー作動温度である。
Ａ１：  病院で実行された臨床試験から導出して照合テーブル内に格納された周囲温度値又はセンサー作動温度値の一つである。「Ａ１」は、同時並行的に測定された作動周囲温度又はセンサー作動温度である「Ａ」に隣接しているが「Ａ」よりも大きい。
Ａ２：  病院で実行された臨床試験から導出して照合テーブル内に格納された周囲温度値又はセンサー作動温度値の別の値である。「Ａ２」は、同時並行的に測定された作動周囲温度又はセンサー作動温度である「Ａ」に隣接しているが「Ａ」よりも大きい。
Ｏ１１：  照合テーブル内に格納された生理的位置オフセット値、即ち、同時に検出された作動周囲温度又はセンサー作動温度「Ａ１」の下における、測定された口内温度と同時並行的に測定された額皮膚温度「Ｆ１」との間の差異である。従って、「Ｏ１１」は、「Ａ１」及び「Ｆ１」に対応している。
Ｏ１２：  照合テーブル内に格納された生理的位置オフセット値、即ち、同時に検出された作動周囲温度又はセンサー作動温度「Ａ１」の下における、測定された口内温度と同時並行的に測定された額皮膚温度「Ｆ２」との間の差異である。従って、「Ｏ１２」は、「Ａ１」及び「Ｆ２」に対応している。
Ｏ２１：  照合テーブル内に格納された生理的位置オフセット値、即ち、同時に検出された作動周囲温度又はセンサー作動温度「Ａ２」の下における、測定された口内温度と同時並行的に測定された額皮膚温度「Ｆ１」との間の差異である。従って、「Ｏ２１」は、「Ａ２」及び「Ｆ１」に対応している。
Ｏ２２：  照合テーブル内に格納された生理的位置オフセット値、即ち、同時に検出された作動周囲温度又はセンサー作動温度「Ａ２」の下における、測定された口内温度と同時並行的に測定された額皮膚温度「Ｆ２」との間の差異である。従って、「Ｏ２２」は、「Ａ２」及び「Ｆ２」に対応している。
【００３３】
次の変数は、未知であり、計算されるべきものである。
Ｏ１：  生理的位置オフセット値は、測定された作動周囲温度又はセンサー作動温度「Ａ」と、同時並行的に測定された額中央皮膚温度「Ｆ１」とに基づいて、以下の公式から決定される。従って、「Ｏ１」は、「Ａ」及び「Ｆ１」に対応している。
Ｏ２：  生理的位置オフセット値は、測定された口内温度「Ａ」と、同時並行的に測定された額中央皮膚温度「Ｆ２」とに基づいて、以下の公式から決定される。従って、「Ｏ２」は、「Ａ」及び「Ｆ２」に対応している。
Ｏ：  推定された実際の生理的位置オフセット値は、照合テーブルに基づいて、測定された作動周囲温度又はセンサー作動温度「Ａ」と、同時並行的に測定された額中央皮膚温度「Ｆ」とから計算される。従って、「Ｏ」は、「Ａ」及び「Ｆ」に対応している。
【００３４】
「Ｏ１」を決定するため、照合テーブルから知られ又は該照合テーブルからアクセスすることができる他の変数に基づいて、線形補間法が実行される。
即ち、
（Ａ１−Ａ）／（Ａ１−Ａ２）＝（Ｏ１１−Ｏ１）／（Ｏ１１−Ｏ２１）
から、次式が得られる。
【００３５】
Ｏ１＝Ｏ１１−[（Ａ１−Ａ）＊（Ｏ１１−Ｏ２１）／（Ａ１−Ａ２）]
「Ｏ２」を決定するため、類似の仕方で線形補間法が実行される。
即ち、
（Ａ１−Ａ）／（Ａ１−Ａ２）＝（Ｏ１２−Ｏ２）／（Ｏ１２−Ｏ２２）
から、次式が得られる。
【００３６】
Ｏ２＝Ｏ１２−[（Ａ１−Ａ）＊（Ｏ１２−Ｏ２２）／（Ａ１−Ａ２）]
「Ｏ」（未知変数及び実際の生理的位置オフセットデータ値）を得るため、線形補間法が実行される。上記数学的計算結果より、
（Ｏ−Ｏ２）／（Ｏ１−Ｏ２）＝（Ｆ−Ｆ２）／（Ｆ１−Ｆ２）
から、次式が得られる。
【００３７】
Ｏ＝Ｏ２＋[（Ｆ−Ｆ２）＊（Ｏ１−Ｏ２）／（Ｆ１−Ｆ２）]
この額（又は他の身体箇所）の最終的な読み取り表示は、第２の身体箇所（例えば、額）における測定値に基づく第１の身体箇所（例えば、口内）における温度の推定値である。
【００３８】
最後の体温読み取り表示は、Ｆ＋Ｏに等しい。
「Ｆ」は、第２の箇所において測定されたターゲットとなる額中央表面皮膚温度であり、「Ｏ」は、額中央皮膚温度と第１の箇所における温度との間の対応する計算された生理的オフセット値である。
【００３９】
測定された額皮膚表面と同時並行的に検出された作動温度又はセンサー作動温度とに基づいて、上記計算方法は、数学的補間法と称されており、照合テーブルから２つの隣接する収集オフセットデータを得て平均化することによりオフセット値を計算することを可能にしている。このとき、当該２つの隣接する収集オフセットデータの一つは所望のオフセット値よりも小さく、もう一方が所望のオフセット値より大きくなっている。照合テーブルから、マイクロプロセッサは、測定された周囲温度データに隣接する、２つの周囲又はセンサー作動温度データ、「Ａ１」及び「Ａ２」を最初に取り込む。測定された額温度に隣接する２つの額温度隣接データ「Ｆ１」及び「Ｆ２」が決定される。４つの対応する生理的位置オフセットデータ「Ｏ１１」、「Ｏ１２」、「Ｏ２１」及び「Ｏ２２」が、上記数学的計算を参照してアクセスされる。上記数学公式を通して、推定された対応するオフセット値「Ｏ」は、測定された額皮膚温度「Ｆ」と、同時に検出された作動周囲温度又はセンサー作動温度「Ａ」とに基づいて、決定される。次に、このオフセットデータは、検出された額皮膚温度に加算される。最終的に、周囲温度又はセンサー作動温度の変化を考慮に入れた、対応する身体箇所（例えば口内又は直腸）の温度が表示される。周囲温度又はセンサー作動温度の代わりに、Ａ、Ａ１、Ａ２低温接続温度を測定し、使用することもできる。
【図面の簡単な説明】
【００４０】
【図１】図１は、本発明に係る体温計の概略表現を示す。
【図２】図２は、本発明に係る体温計の概略表現を示す。
【図３】図３は、本発明に係る体温計の電子キー構成部品のブロック図を概略的に示している。
【図４】図４は、対応する同時に測定された額温度に依存した様々に異なる口内温度と、同時並行的な周囲温度又はセンサー作動温度とを示す図表である。
【図５】図５は、同時並行的周囲温度値に基づいて上記温度の異なる同時生理的位置を示す図表である。
【図６】図６は、様々に異なる周囲又はセンサー作動温度値に基づく、口内温度と同時並行の額温度との生理的位置のオフセット温度の図表を示す。
【図７】図７は、補間法に基づいて推定された生理的位置オフセット値の計算を概略的に示す。
【図１】
2007511260.tif 000003
【図２】
2007511260.tif 000004
【図３】
2007511260.tif 000005
【図４】
2007511260.tif 000006
【図５】
2007511260.tif 000007
【図６】
2007511260.tif 000008
【図７】
2007511260.tif 000009
【国際調査報告】
2007511260.tif 000010
2007511260.tif 000011